(57)【要約】【課題】ユーザが任意の楽曲を用いて簡易に周波数特性の調整を行なえるようにする。【解決手段】楽曲音源データを再生し、再生信号を出力する再生処理部、再生処理部により出力された再生信号の所望の帯域を選択的に通過させる帯域制限部、帯域制限部を通った再生信号を複数の帯域に分割し、それぞれの帯域について出力特性を調整する周波数特性調整部、周波数特性調整部が分割する複数の帯域のいずれかを基準音域とし、他の帯域を順次調整音域として設定し、基準音域の帯域と調整音域として設定された帯域とを帯域制限部に選択的に通過させる制御部、を備えた音声再生装置。【選択図】図１
2012165264.tif 000002
【特許請求の範囲】
【請求項１】
楽曲音源データを再生し、再生信号を出力する再生処理部、
前記再生処理部により出力された前記再生信号の所望の帯域を選択的に通過させる帯域制限部、
前記帯域制限部を通った前記再生信号を複数の帯域に分割し、それぞれの帯域について出力特性を調整する周波数特性調整部、
前記周波数特性調整部が分割する複数の帯域のいずれかを基準音域とし、他の帯域を順次調整音域として設定し、前記基準音域の帯域と前記調整音域として設定された帯域とを前記帯域制限部に選択的に通過させる制御部、
を備えることを特徴とする音声再生装置。
【請求項２】
前記帯域制限部は、ハイパスフィルタ、ローパスフィルタ、ノッチフィルタを備えていることを特徴とする請求項１に記載の音声再生装置。
【請求項３】
前記帯域制限部は、
前記基準音域の帯域と調整音域として設定された帯域とが隣接している場合は、ハイパスフィルタ、ローパスフィルタを用い、前記基準音域の帯域と調整音域として設定された帯域とが隣接していない場合は、ハイパスフィルタ、ローパスフィルタおよびノッチフィルタを用いて帯域制限を行なうことを特徴とする請求項２に記載の音声再生装置。
【請求項４】
楽曲音源データを再生し、再生信号を出力する再生処理部、
前記再生処理部により出力された前記再生信号の所望の帯域を選択的に通過させる帯域制限部、
前記帯域制限部を通った前記再生信号を複数の帯域に分割し、それぞれの帯域について出力特性を調整する周波数特性調整部、
前記周波数特性調整部が分割する複数の帯域のいずれかを基準音域とし、他の帯域を順次調整音域として設定し、前記基準音域の帯域と前記調整音域として設定された帯域とを少なくとも含む任意の帯域を前記帯域制限部に選択的に通過させる制御部、
を備えることを特徴とする音声再生装置。
【請求項５】
前記帯域制限部は、前記複数の帯域に対応したバンドパスフィルタと、それぞれのバンドパスフィルタのオンオフを切り替えるスイッチとを備えて構成されることを特徴とする請求項４に記載の音声再生装置。
【請求項６】
楽曲音源データを再生し、再生信号を出力する再生ステップ、
前記再生処理部により出力された前記再生信号の所望の帯域を選択的に通過させる帯域制限ステップ、
前記帯域制限部を通った前記再生信号を複数の帯域に分割し、それぞれの帯域について出力特性を調整する周波数特性調整ステップ、
前記周波数特性調整部が分割する複数の帯域のいずれかを基準音域とし、他の帯域を順次調整音域として設定し、前記基準音域の帯域と前記調整音域として設定された帯域とを前記帯域制限部に選択的に通過させる制御ステップ、
を含むことを特徴とする周波数特性調整方法。
【発明の詳細な説明】
【技術分野】
【０００１】
本発明は、楽曲音源データに基づいて音声を再生する音声再生装置に係り、特に、個々のユーザに適した周波数特性調整を行なえる音声再生装置に関する。
【背景技術】
【０００２】
多くの音声再生装置はイコライザ機能を備えている。イコライザ機能は、再生音の周波数特性を調整することで、聴感上の音響特性をフラットにしたり、特定の周波数帯域を強調して音像を明確にする等のために用いられる。また、小音量時に低音域と高音域とを増強し、均一な聴感を実現するラウドネス効果を得るためにも用いられている。
【０００３】
イコライザ機能は、再生音域を複数の音域、例えば、低音域、中低音域、中音域、中高音域、高音域に分けて、それぞれの音域ごとに強調や低減の度合いを自由に設定するものや、ジャンルあるいは周辺環境等に対応してプリセットされた周波数特性を選択するもの等が実用化されている。
【０００４】
ところで、リスニング環境やユーザの聴覚はそれぞれであるから、音声再生装置が出力する音声の周波数特性と、聴感上の音響特性とは必ずしも一致しない。例えば、音声再生装置がフラットな周波数特性で音声を出力しても、リスニング環境やユーザの聴覚によっては、特定の音域が強調されて聴こえたり、特定の音域が弱められて聴こえたりすることがよくある。このため、近年、イコライザの機能性を高める目的で、聴感上の音響特性に基づいて再生音をイコライズすることが行なわれている。
【０００５】
例えば、特許文献１には、帯域制限雑音信号を用いて、基準音と比較音とを交互に出力し、比較音が基準音と聴感上等音量となるようにユーザから調整操作を受け付けることで周波数特性の調整を行なうことが記載されている。
【先行技術文献】
【特許文献】
【０００６】
【特許文献１】特開昭５５−１４７８１７号公報
【発明の概要】
【発明が解決しようとする課題】
【０００７】
しかしながら、帯域制限雑音信号は、実際の楽曲とは周波数成分の傾向が異なる。したがって、帯域制限雑音信号を用いて調整した周波数特性で普段聴き慣れいている楽曲を再生しても、必ずしもユーザの好みに合致した周波数特性になるとは限られない。
【０００８】
このため、ユーザが聴き慣れいている楽曲を用いて周波数特性の調整を行なうことが考えられるが、基準とする音域と調整対象とする音域との聞き分けが容易でないことも多い。
【０００９】
そこで、本発明は、ユーザが任意の楽曲を用いて簡易に周波数特性の調整を行なえるようにすることを目的とする
【課題を解決するための手段】
【００１０】
上記課題を解決するため、本発明の第１の態様である音声再生装置は、楽曲音源データを再生し、再生信号を出力する再生処理部、前記再生処理部により出力された前記再生信号の所望の帯域を選択的に通過させる帯域制限部、前記帯域制限部を通った前記再生信号を複数の帯域に分割し、それぞれの帯域について出力特性を調整する周波数特性調整部、前記周波数特性調整部が分割する複数の帯域のいずれかを基準音域とし、他の帯域を順次調整音域として設定し、前記基準音域の帯域と前記調整音域として設定された帯域とを前記帯域制限部に選択的に通過させる制御部、を備えることを特徴とする。
【００１１】
ここで、前記帯域制限部は、ハイパスフィルタ、ローパスフィルタ、ノッチフィルタを備えることができる。
【００１２】
この場合、前記帯域制限部は、前記基準音域の帯域と調整音域として設定された帯域とが隣接している場合は、ハイパスフィルタ、ローパスフィルタを用い、前記基準音域の帯域と調整音域として設定された帯域とが隣接していない場合は、ハイパスフィルタ、ローパスフィルタおよびノッチフィルタを用いて帯域制限を行なうことができる。
【００１３】
上記課題を解決するため、本発明の第２の態様である音声再生装置は、楽曲音源データを再生し、再生信号を出力する再生処理部、前記再生処理部により出力された前記再生信号の所望の帯域を選択的に通過させる帯域制限部、前記帯域制限部を通った前記再生信号を複数の帯域に分割し、それぞれの帯域について出力特性を調整する周波数特性調整部、前記周波数特性調整部が分割する複数の帯域のいずれかを基準音域とし、他の帯域を順次調整音域として設定し、前記基準音域の帯域と前記調整音域として設定された帯域とを少なくとも含む任意の帯域を前記帯域制限部に選択的に通過させる制御部、を備えることを特徴とする。
【００１４】
ここで、前記帯域制限部は、前記複数の帯域に対応したバンドパスフィルタと、それぞれのバンドパスフィルタのオンオフを切り替えるスイッチとを備えて構成することができる。
【００１５】
上記課題を解決するため、本発明の第３の態様である周波数特性調整方法は、楽曲音源データを再生し、再生信号を出力する再生ステップ、前記再生処理部により出力された前記再生信号の所望の帯域を選択的に通過させる帯域制限ステップ、前記帯域制限部を通った前記再生信号を複数の帯域に分割し、それぞれの帯域について出力特性を調整する周波数特性調整ステップ、前記周波数特性調整部が分割する複数の帯域のいずれかを基準音域とし、他の帯域を順次調整音域として設定し、前記基準音域の帯域と前記調整音域として設定された帯域とを前記帯域制限部に選択的に通過させる制御ステップ、を含むことを特徴とする。
【発明の効果】
【００１６】
本発明によれば、ユーザが任意の楽曲を用いて簡易に周波数特性の調整を行なえるようにすることができる。
【図面の簡単な説明】
【００１７】
【図１】本実施形態に係る音声再生装置の構成を示すブロック図である。
【図２】第１実施例における帯域制限部の構成を示すブロック図である。
【図３】フィルタの構成を示すブロック図である。
【図４】周波数帯域について説明する図である。
【図５】音声再生装置の動作の第１実施例を説明するフローチャートである。
【図６】第２実施例における帯域制限部の構成を示すブロック図である。
【図７】音声再生装置の動作の第２実施例を説明するフローチャートである。
【図８】第２実施例の周波数特性調整手順の一例を示す図である。
【図９】周波数特性調整手順の別例を示す図である。
【発明を実施するための形態】
【００１８】
本発明の実施の形態について図面を参照して詳細に説明する。図１は、本実施形態に係る音声再生装置の構成を示すブロック図である。本実施形態に係る音声再生装置１００は、記録メディア３００に記録された楽曲音源データ３１０を読み込んで再生し、スピーカやヘッドフォン等の音声出力装置２００に音声信号を出力する装置である。本実施形態の音声再生装置１００は、据置型の音響装置、可搬型のポータブル再生装置、車載オーディオ装置、音源再生機能を搭載したＰＣ等種々の音響装置に適用することができる。
【００１９】
本図に示すように、音声再生装置１００は、再生処理部１１０、帯域制限部１２０、イコライザ部１３０、音声出力部１４０、操作受付部１５０、制御部１６０を備えている。本実施形態の音声再生装置１００は、周波数特性調整を行なう際に、帯域制限雑音信号や電子音ではなく、ユーザが聴き慣れた楽曲を用いることができる。そして、再生時に帯域制限を行なうことで、基準音域と調整音域とを抜き出して再生する、これにより、ユーザは、基準音域と調整音域とを明確に聞き取ることが可能となるため、調整音域の出力特性調整を容易に行なえるようになる。
【００２０】
再生処理部１１０は、記録メディア３００から楽曲音源データ３１０を読み込んで、例えば、２チャンネルのデジタルオーディオ信号として再生する。ただし、楽曲音源データ３１０のフォーマットに応じて、５．１チャンネルのマルチチャンネル等の多チャンネルとして再生するようにしてもよい。
【００２１】
記録メディア３００は、ＣＤ、ＨＤＤ（ハードディスクドライブ）、半導体メモリ等を用いることができ、着脱可能な可搬型としてもよいし、音声再生装置１００内蔵としてもよい。また、再生処理部１１０は、他の再生装置からケーブルやネットワーク等を介して楽曲音源データ３１０を読み込むようにしたり、ラジオ、ＦＭトランスミッタ等のように無線で楽曲音源データ３１０を読み込むようにしてもよい。
【００２２】
帯域制限部１２０は、再生処理部１１０が再生したデジタルオーディオ信号の所望の帯域を選択的に通過させることで帯域制限を行なう。これにより、周波数特性調整の際に、基準音域と調整音域とを抜き出した再生を行なえるようにする。図２は、帯域制限部１２０の第１実施例を示すブロック図である。本図に示すように、第１実施例の帯域制限部１２０は、チャンネルに対応して設けられたデジタルフィルタブロック１２１と、デジタルフィルタブロック１２１のフィルタ動作を制御するフィルタ動作制御部１２２とを備えている。
【００２３】
本図の例では、デジタルフィルタブロック１２１は、ＨＰＦ（ハイパスフィルタ）、ＬＰＦ（ローパスフィルタ）、ＮｏｔｃｈＦ（ノッチフィルタ）を備えて構成されている。これにより、楽曲音源データ３１０を再生して得られる音声信号の特定範囲の周波数帯域のみを通過させることができる。デジタルフィルタブロック１２１は、特定の帯域を減衰させるＮｏｔｃｈＦ（ノッチフィルタ）を備えているため、通過させる特定範囲の周波数帯域は、連続した周波数帯域のみならず、離散した周波数帯域とすることもできる。
【００２４】
デジタルフィルタブロック１２１を構成する各フィルタは、例えば、図３に示すようなＩＩＲ型のデジタルフィルタにより実現することができる。各デジタルフィルタの特性は、係数を入れ替えることにより任意に変更することが可能である。ただし、他の方法によりデジタルフィルタブロック１２１を構成してもよい。
【００２５】
イコライザ部１３０は、周波数特性調整部として機能し、デジタルオーディオ信号を複数の周波数帯域に分割して、それぞれの周波数帯域毎に出力特性調整を行なう。本実施形態では、図４（ａ）に示すように、低音域、中低音域、中音域、中高音域、高音域の５つの周波数帯域に分割して、それぞれの周波数帯域毎に強調／減少の出力特性調整を行なうものとする。これにより、周波数特性の調整が行なわれる。分割する周波数帯域の例としては、低音域が１００Ｈｚまで、中低音域が１００Ｈｚから５００Ｈｚまで、中音域が５００Ｈｚから１ｋＨｚまで、中高音域が１ｋＨｚから４ｋＨｚまで、高音域が４ｋＨｚ以上などとする。これらの値は他の値としてもよく、隣接する周波数帯域間で周波数帯域が重なっていてもよい。
【００２６】
なお、イコライザ部１３０も図３に示したようなＩＩＲ型のデジタルフィルタを用いて実現することができる。すなわち、本実施形態では、ＨＦＰ・ＨＰＦ・ＮｏｔｃｈＦを備えた帯域制限部１２０とイコライザ部１３０とを、チャンネル当り４段の２次ＩＩＲ型デジタルフィルタで実現することができる。
【００２７】
音声出力部１４０は、デジタルオーディオ信号をアナログオーディオ信号に変換する。そして、制御部１６０からメイン音量調整指示に従って増幅して、音声出力装置２００に出力する。
【００２８】
制御部１６０は、タッチパネル・ダイヤル・スイッチ等を備えた操作受付部１５０を介して受け付けたユーザの指示等に基づいて、再生処理部１１０、帯域制限部１２０、イコライザ部１３０、音声出力部１４０の動作を制御する。具体的には、再生処理部１１０に対して、再生対象の楽曲音源データ３１０を指示して再生を行なわせる。また、周波数帯域毎に出力特性調整を行なう際に、帯域制限部１２０に対して通過させる帯域の指示を行なう。イコライザ部１３０に対しては、周波数帯域毎の強調／減少の指示を行なう。音声出力部１４０に対しては、メイン音量調整の指示を行なう。
【００２９】
次に、本実施形態の音声再生装置１００の周波数特性調整動作の第１実施例について図５のフローチャートを参照して説明する。周波数特性調整動作は、例えば、ユーザからの指示により開始する。
【００３０】
本実施形態の周波数特性調整では、ユーザが普段聴き慣れている任意の楽曲を用いることができる。このため、ユーザが指定する任意の楽曲音源データ３１０の再生を行なう（Ｓ１０１）。
【００３１】
次に、基準音域の設定を行なう（Ｓ１０２）。基準音域は、周波数特性調整を行なう際の基準音量となる音域であり、調整音域として設定された他の音域について、基準音域の音量と比較して出力特性を上げたり下げたりすることで周波数特性の調整が行なわれる。本実施形態では、基準音域は、低音域、中低音域、中音域、中高音域、高音域のうちの１つの音域とし、例えば、ユーザの指定に基づいて設定する。あるいは、例えば、中音域等で基準音域を固定してもよい。
【００３２】
次いで、調整音域を設定する（Ｓ１０３）。調整音域は、調整対象となる音域であり、基準音域以外の音域から順次選択する。調整音域は、例えば、ユーザの指定に基づいて設定する。あるいは、例えば、予め定められた順序に従って設定してもよい。なお、基準音域と調整音域とは、イコライザ部１３０で、調整可能な音域に対応させて設定するものとする。例えば、イコライザ部１３０が図４（ａ）に示した５つの音域に分割して出力特性の調整を行なう場合は、基準音域および調整音域も同じ周波数帯域で示される５つの音域から設定するようにする。
【００３３】
基準音域と調整音域とが設定されると、基準音域と調整音域とが隣接しているかどうかを判定する（Ｓ１０４）。その結果、図４（ｂ）に示すように、基準音域と調整音域とが隣接して通過帯域が連続している場合（Ｓ１０４：Ｙｅｓ）には、その帯域を通過させるように帯域制限部１２０のデジタルフィルタブロック１２１に含まれるＨＰＦとＬＰＦを設定する（Ｓ１０５）。この場合、ＮｏｔｃｈＦは、オフにする。すなわち、基準音域と調整音域とが隣接して通過帯域が連続している場合は、ＬＰＦで高域側の帯域を遮断し、ＨＰＦで低域側の帯域を遮断することにより、基準音域と調整音域のみを通過させたデジタルオーディオ信号による再生音を得ることができる。
【００３４】
一方、図４（ｃ）に示すように、基準音域と調整音域とが隣接しておらず、通過帯域が離散している場合（Ｓ１０４：Ｎｏ）には、その帯域を通過させるように帯域制限部１２０のデジタルフィルタブロック１２１に含まれるＨＰＦとＬＰＦを設定し（Ｓ１０６）、さらに、中間の帯域を遮断するためにＮｏｔｃｈＦを設定する（Ｓ１０７）。これにより、基準音域と調整音域のみを通過させたデジタルオーディオ信号による再生音を得ることができる。この結果、再生楽曲の基準音域と調整音域とが同時に音声出力装置２００から出力される。
【００３５】
そして、操作受付部１５０を介してイコライザ部１３０に対する操作をユーザから受け付ける（Ｓ１０８）。この場合、イコライザ部１３０は、調整音域のみに対して調整操作を受け付けることが望ましい。ユーザは、例えば、基準音域と調整音域とが同じ音量に聞こえるように操作受付部１５０を介してイコライザ部１３０に対する調整を行なう。
【００３６】
ユーザの調整が終了すると（Ｓ１０９：Ｙｅｓ）、調整音域を変更して、未調整の調整音域に対する出力特性の調整を繰り返す（Ｓ１１０）。そして、すべての調整音域に対する出力特性の調整を終えると周波数特性調整を終了する。
【００３７】
イコライザ部１３０は、調整結果を記憶し、以降は調整結果を反映した周波数特性で楽曲再生が行なわれる。これにより、ユーザは自分の好みの周波数特性で楽曲音源データ３１０の再生音を聴くことができる。
【００３８】
以上説明したように、本実施形態の音声再生装置１００によれば、周波数特性調整の際に、再生対象の楽曲から基準音域と調整音域とを抜き出して再生することができるため、ユーザが聴き慣れている任意の楽曲を用いて簡易に周波数特性の調整を行なうことができる。
【００３９】
次に、帯域制限部１２０の第２実施例について説明する。第１実施例では、基準音域と１つの調整音域とを同時に再生するようにしていたが、第２実施例では、任意の調整音域を基準音域と同時に再生できるようにする。このため、調整済の調整音域を基準音域と同時に再生させることにより、ユーザは、音域毎の出力特性の調整が進むにつれて楽曲が完成していくようなプロセスを楽しむことができる。
【００４０】
図６は、第２実施例における帯域制限部１２０の構成を示すブロック図である。本図に示すように第２実施例の帯域制限部１２０は、周波数帯域毎にＨＰＦとＬＰＦとを含んだデジタルフィルタブロック１２１を備えており、それぞれスイッチ１２３でオンオフが切り替えられるようになっている。デジタルフィルタブロック１２１は、バンドパスフィルタを構成している。また、それぞれのデジタルフィルタブロック１２１の出力は、音量調整部１２４で個々に音量が調整された後、合成されてイコライザ部１３０に出力される。
【００４１】
すなわち、低音域を通過させるデジタルフィルタブロック１２１ａは、スイッチ１２３ａでオンオフが切り替えられ、中低音域を通過させるデジタルフィルタブロック１２１ｂは、スイッチ１２３ｂでオンオフが切り替えられ、中音域を通過させるデジタルフィルタブロック１２１ｃは、スイッチ１２３ｃでオンオフが切り替えられ、中高音域を通過させるデジタルフィルタブロック１２１ｄは、スイッチ１２３ｄでオンオフが切り替えられ、高音域を通過させるデジタルフィルタブロック１２１ｅは、スイッチ１２３ｅでオンオフが切り替えられる。
【００４２】
各スイッチ１２３の切り替えは、ユーザの指示に基づいて、フィルタ動作制御部１２２によって行なわれる。このため、ユーザは、任意の音域について発音のオンオフを切り替えることができる。第２実施例では、各音域に対応してデジタルフィルタブロック１２１を設けているため、デジタルフィルタブロック１２１を構成するＨＰＦとＬＰＦの係数変更は不要である。
【００４３】
なお、各デジタルフィルタブロック１２１の出力は合成されるため、位相が回らないデジタルフィルタを用いて構成する。例えば、位相特性がフラットあるいは合成した結果の位相特性が一定のＦＩＲフィルタ等を用いて構成することができる。
【００４４】
次に、音声再生装置１００の周波数特性調整動作の第２実施例について図７のフローチャートを参照して説明する。周波数特性調整動作は、例えば、ユーザからの指示により開始する。
【００４５】
第２実施例でも、ユーザが普段聴き慣れている任意の楽曲を用いて周波数特性調整を行なうことができる。このため、ユーザが指定する任意の楽曲音源データ３１０の再生を行なう（Ｓ２０１）。
【００４６】
次に、基準音域の設定を行なう（Ｓ２０２）。第２実施例においても、基準音域は、低音域、中低音域、中音域、中高音域、高音域のうちの１つの音域とし、例えば、ユーザの指定に基づいて設定する。あるいは、例えば、中音域等で基準音域を固定してもよい。
【００４７】
次いで、調整音域を設定する（Ｓ２０３）。調整音域は、調整対象となる音域であり、基準音域以外の音域から選択する。調整音域は、例えば、ユーザの指定に基づいて設定することができる。あるいは、例えば、予め定められた順序に従って設定してもよい。なお、基準音域と調整音域とは、イコライザ部１３０で、調整可能な音域に対応させて設定するものとする。
【００４８】
基準音域と調整音域とが設定されると、ユーザの指示に従って、発音させる音域の設定を行なう（Ｓ２０４）。発音させる音域には、基準音域と調整音域とが少なくとも含まれるようにする。第２実施例では、さらに、調整済の音域を含ませたり、未調整の音域を含ませたりすることができる。一般には、調整済の音域を含めることで、楽曲を段階的に完成させるプロセスを楽しむことができると考えられる。
【００４９】
そして、操作受付部１５０を介してイコライザ部１３０に対する操作をユーザから受け付ける（Ｓ２０５）。この場合、イコライザ部１３０は、調整音域のみに対して調整操作を受け付けることが望ましい。ユーザは、発音されている音域のバランスが好みのバランスとなるように操作受付部１５０を介してイコライザ部１３０に対する調整を行なう。なお、周波数特性の調整は、イコライザ部１３０ではなく、音量調整部１２４で行なうようにしてもよい。この場合、イコライザ部１３０の出力特性はフラットにしておくことができる。
【００５０】
ユーザの調整が終了すると（Ｓ２０６：Ｙｅｓ）、調整音域を変更して、未調整の調整音域に対する出力特性の調整を繰り返す（Ｓ２０７）。そして、すべての調整音域に対する出力特性の調整を終えると周波数特性調整を終了する。
【００５１】
イコライザ部１３０あるいは音量調整部１２４は、調整結果を記憶し、以降は調整結果を反映した周波数特性で楽曲再生が行なわれる。これにより、ユーザは自分の好みの周波数特性で楽曲音源データ３１０の再生音を聴くことができる。
【００５２】
図８は、第２実施例の音響特性調整手順の一例を示す図である。例えば、図８（ａ）に示すように、中音域を基準音域として設定した場合、まず、中高音域を調整音域として、中音域と中高音域を発音対象とすることができる。この場合、帯域制限部１２０のスイッチ１２３ｃとスイッチ１２３ｄとをオンにして、他のスイッチ１２３をオフにする。
【００５３】
次に、図８（ｂ）に示すように、低音域を調整音域として、基準音域の中音域と調整音域の低音域とを発音対象にするのに加え、調整済の中高音域も発音対象とすることができる。さらに、図８（ｃ）に示すように、高音域を調整音域として、基準音域の中音域と調整音域の高音域とを発音対象にするのに加え、調整済の中高音域および低音域も発音対象とすることができる。もちろん、調整済の音域を発音対象から外すようにしてもよい。そして、最後に、図８（ｄ）に示すように、中低音域を調整音域として、全音域を発音対象とすることができる。
【００５４】
このように、第２実施例では、従来無味乾燥な作業になりがちな調整音域の音量調整を、あたかもレコーディング等の音楽制作現場におけるミキシング処理を行なっているような感覚で行なうことができるようになる。これにより、周波数特性調整作業のエンタテインメント性を高めることができ、ユーザの興味を喚起することができる。これは、ユーザが積極的に周波数特性調整作業を行なう動機付けとなり、結果として、より聴感上の音響特性の優れた高品質の再生音を提供することができるようになる。
【００５５】
なお、第２実施例の帯域制限部１２０では、調整音域を任意の順番で設定でき、任意の音域を発音対象にできるような構成としたが、例えば、図９（ａ）〜（ｄ）に示すように、中音域を基準音域として、隣接する音域を基準音域として広げていき、基準音域と調整音域および調整済音域を発音対象とする手順であれば、すなわち、離散する音域を発音対象としないのであれば、図２に示した第２実施例の帯域制限部１２０を用いて実現することができる。この場合、基準音域を広げるのに応じて、ＨＰＦとＬＰＦとで通過帯域を広げていけばよい。ＮｏｔｃｈＦはオフにしておく。
【００５６】
以上説明したように、音声再生装置１００の第２実施例によれば、周波数特性調整の際に、再生対象の楽曲から任意の音域を抜き出して再生することができるため、ユーザが聴き慣れている任意の楽曲を用いて簡易に周波数特性の調整を行なえるようになるのに加え、周波数特性調整のエンタテインメント性を高めることができる。
【符号の説明】
【００５７】
１００…音声再生装置
１１０…再生処理部
１２０…帯域制限部
１２１…デジタルフィルタブロック
１２２…フィルタ動作制御部
１２３…スイッチ
１２４…音量調整部
１３０…イコライザ部
１４０…音声出力部
１５０…操作受付部
１６０…制御部
２００…音声出力装置
３００…記録メディア
３１０…楽曲音源データ
【図１】
2012165264.tif 000003
【図２】
2012165264.tif 000004
【図３】
2012165264.tif 000005
【図４】
2012165264.tif 000006
【図５】
2012165264.tif 000007
【図６】
2012165264.tif 000008
【図７】
2012165264.tif 000009
【図８】
2012165264.tif 000010
【図９】
2012165264.tif 000011